(57)【要約】【課題】携帯電話、ＰＨＳ、ＰＤＡなどの携帯端末装置に電子暗記カード機能を搭載し、新規データの登録を容易にする。【解決手段】それぞれ分類と第１データ領域と第２データ領域とを含む複数の暗記カード情報を記憶するカード記憶部と、前記カード記憶部に記憶した情報を表示する表示部と、カード記憶部に情報を入力し表示部に表示する情報を選択する入力部と、入力部から入力したデータを送信しカード記憶部に記憶させる情報を受信する送受信部と、を含む携帯端末装置と、サーバであって、携帯端末装置とネットワークを介してデータの送受信を行う送受信部と、暗記カード情報に対応する形式の複数のカード情報を記憶するデータ部と、携帯端末装置から受信した検索条件に従って前記データ部のデータを検索し、その結果を携帯端末装置に返信する検索部と、を含むサーバと、を備える。【選択図】図１
2010217308.tif 000002
【特許請求の範囲】
【請求項１】
それぞれ分類と第１データ領域と第２データ領域とを含む複数の暗記カード情報を記憶するカード記憶部と、前記カード記憶部に記憶した情報を表示する表示部と、前記カード記憶部に情報を入力し前記表示部に表示する情報を選択する入力部と、前記入力部から入力したデータを送信し前記カード記憶部に記憶させる情報を受信する送受信部と、を含む携帯端末装置と、
前記携帯端末装置とネットワークを介してデータの送受信を行う送受信部と、前記暗記カード情報に対応する形式の複数のカード情報を記憶するデータ部と、前記携帯端末装置から受信した検索条件に従って前記データ部のデータを検索し、その結果を前記携帯端末装置に返信する検索部と、を含むサーバと、
を備えた電子暗記カードシステム。
【請求項２】
前記携帯端末装置は、前記カード記憶部にデータを追加しようとする場合、ネットワーク通信を行うか否かを決定し、ネットワーク通信を行わない場合は、前記入力部から前記カード記憶部にデータを追加し、ネットワーク通信を行う場合は、前記入力部から検索条件を入力して前記サーバに送信し、前記サーバの検索部は、前記検索条件に従ってその結果を前記携帯端末装置に返信することを特徴とする請求項１記載の電子暗記カードシステム。
【請求項３】
前記携帯端末装置は、前記サーバから返信された検索結果が満足する結果であれば、サーバから返信されたデータを前記カード記憶部に追加し、満足する結果でなければ、再検索を行うか、又は、入力部から直接カード記憶部に記憶させる情報を入力することを特徴とする請求項２記載の電子暗記カードシステム。
【請求項４】
前記携帯端末装置は、前記検索結果がヒットせず、入力部から直接カード記憶部に記憶させる情報を入力した場合は、前記入力したカード記憶部に記憶させる情報を前記サーバに送信し、前記サーバは、前記携帯端末装置から送信されたカード記憶部に記憶させる情報を前記データ部に新規データとして登録することを特徴とする請求項３記載の電子暗記カードシステム。
【請求項５】
前記携帯端末装置が、携帯電話機、ＰＨＳ、ＰＤＡのうち、少なくとも１つの機能を備えていることを特徴とする請求項１乃至４いずれか１項記載の電子暗記カードシステム。
【請求項６】
前記暗記カード情報の第１データ領域には、問題を格納し、第２データ領域には、前記問題に対する答えを格納したことを特徴とする請求項１乃至５いずれか１項記載の電子暗記カードシステム。
【請求項７】
それぞれ分類と第１データ領域と第２データ領域とを含む複数の暗記カード情報を記憶するカード記憶部と、前記カード記憶部の記憶した情報を表示する表示部と、前記カード記憶部に情報を入力し前記表示部に表示する情報を選択する入力部と、前記入力部から入力したデータをネットワークへ送信し前記カード記憶部に記憶させる情報をネットワークから受信する送受信部と、を含み、
前記カード記憶部に記憶すべきデータについて前記入力部から検索条件を入力して前記送受信部からネットワークへ前記検索条件を送信し、前記送信した検索条件に応答して検索結果がネットワークから返信された場合に、返信結果が所望のデータであった場合には、返信されたデータを前記カード記憶部に記憶させることを特徴とする電子暗記カード機能付携帯端末装置。
【請求項８】
前記カード記憶部にデータを追加しようとする場合、ネットワーク通信を行うか否かを決定し、ネットワーク通信を行わない場合は、前記入力部から前記カード記憶部にデータを追加し、ネットワーク通信を行う場合は、前記ネットワークへ検索条件を送信することを特徴とする請求項７記載の電子暗記カード機能付携帯端末装置。
【請求項９】
携帯電話機、ＰＨＳ、ＰＤＡのうち、少なくとも１つの機能をさらに備えていることを特徴とする請求項７又は８記載の電子暗記カード機能付携帯端末装置。
【請求項１０】
それぞれ分類と、問題を格納した第１データ領域と、前記問題に対する答えを格納した第２データ領域と、を含んで構成される暗記カード情報を複数記憶するデータ部と、
前記複数の暗記カード情報の中から与えられた検索条件に合致する暗記カード情報を検索する検索部と、
前記検索条件をネットワークから受信し、前記検索部の検索結果に基づいて前記データ部の暗記カード情報を前記ネットワークに送信する送受信部と、
を備えた暗記カードシステム用サーバ。
【請求項１１】
暗記カード情報を記憶するカード記憶部と、前記暗記カード情報を表示する表示部と、ネットワークに接続してデータの送受信を行う送受信部と、前記各部に対する操作を入力する入力部と、前記各部の動作を制御するコンピュータと、を含む暗記カード機能付携帯端末装置における暗記カードの新規登録を前記コンピュータに行わせるプログラムであって、
ネットワーク通信を行うか否かを判断するステップと、
ネットワーク通信を行わないと判断した場合に、前記入力部から入力したデータを前記カード記憶部に格納するステップと、
ネットワーク通信を行うと判断した場合に、入力部から入力した検索条件をネットワークへ送信するステップと、
前記ネットワークへ送信した検索条件に応答して検索結果が返信されてきた場合に、返信された内容を前記表示部に表示し、返信された内容を前記カード記憶部に追加する場合は、前記カード記憶部にデータの追加を行うステップと、
を有することを特徴とするプログラム。
【請求項１２】
前記返信された結果を前記カード記憶部に追加しない場合は、検索条件を変更して再度検索を行うか、検索を止めて、前記入力部から入力したデータを前記カード記憶部に記憶するステップを有することを特徴とする請求項１１記載のプログラム。
【請求項１３】
それぞれ分類と第１データ領域と第２データ領域とを含む複数の暗記カード情報を記憶するカード記憶部と、前記カード記憶部の記憶した情報を表示する表示部と、前記カード記憶部に情報を入力し前記表示部に表示する情報を選択する入力部と、前記入力部から入力したデータをネットワークへ送信し前記カード記憶部に記憶させる情報をネットワークから受信する送受信部と、を含む暗記カード機能付携帯端末装置における暗記カードデータの追加方法であって、
前記暗記カードに追加するデータをネットワークから入手するか、前記入力部から入力するか決定するステップと、
前記決定するステップにおいてネットワークから入手すると決定された場合に、前記入力部から検索条件を入力し、前記入力部から入力した検索条件を前記ネットワークに送信するステップと、
前記ネットワークに送信した検索条件に応答して返信された検索結果を前記カード記憶部に記憶するか否か判断するステップと、
検索結果を前記カード記憶部に記憶する場合は、ネットワークから検索された暗記カード情報を前記カード記憶部に記憶するステップと、
を有する暗記カード機能付携帯端末装置における暗記カードデータの追加方法。
【発明の詳細な説明】
【技術分野】
【０００１】
本発明は、電子暗記カードシステムに関する。特に、暗記すべき事項とその内容をカードの表と裏に記載した暗記カードを電子化したシステムに関する。
【背景技術】
【０００２】
暗記すべき事項とその内容をカードの表と裏に記載した暗記カードを電子化した電子暗記カードが知られている。電子暗記カードでは、液晶等の表示画面に、カードの表面の内容と裏面の内容を切り換えて表示するものが多い。この電子暗記カードは、電子化することによって、カードの枚数が増えても嵩張らないので、便利である。しかし、電子暗記カードは購入したコンテンツをインストールするか、ユーザが手入力する方法で作成されていた。コンテンツを購入する場合には、媒体や流通にコストがかかり、時間と場所によりすぐに入手できない問題があった。また、手入力する場合は手間がかかる問題があった。
【０００３】
特許文献１には、暗記カードを含む学習カードの内容をサーバに格納し、ユーザ端末からアクセスすることにより、ユーザ端末の負担を軽減することが記載されている。
【０００４】
特許文献２には、問題集データベースと、ユーザ毎にカスタマイズされたユーザ別問題識別コードデータベースと、をサーバに設けることにより、自分専用の学習内容をサーバに登録できる学習支援システムが記載されている。
【先行技術文献】
【特許文献】
【０００５】
【特許文献１】特開２００８−２６１９２７号公報
【特許文献２】特開２００８−３０４５３３号公報
【発明の概要】
【発明が解決しようとする課題】
【０００６】
以下の分析は本発明により与えられる。特許文献１や特許文献２のようにカード情報を全てサーバにおくとサーバに接続しない限り、電子暗記カードシステムが使用できない。また、業者から提供されるカードにはない新しいカードを作成し、それをさらに他のユーザに公開して使えるようにすることもできない。
【０００７】
本発明の目的は、複数のユーザが入力したカード情報をサーバで共用し、各自が必要なカード情報をサーバからダウンロードして携帯端末装置単独で使用できる電子暗記カードシステムを提供することにある。
【課題を解決するための手段】
【０００８】
本発明の１つの側面による電子暗記カードシステムは、それぞれ分類と第１データ領域と第２データ領域とを含む複数の暗記カード情報を記憶するカード記憶部と、前記カード記憶部に記憶した情報を表示する表示部と、前記カード記憶部に情報を入力し前記表示部に表示する情報を選択する入力部と、前記入力部から入力したデータを送信し前記カード記憶部に記憶させる情報を受信する送受信部と、を含む携帯端末装置と、前記携帯端末装置とネットワークを介してデータの送受信を行う送受信部と、前記暗記カード情報に対応する形式の複数のカード情報を記憶するデータ部と、前記携帯端末装置から受信した検索条件に従って前記データ部のデータを検索し、その結果を前記携帯端末装置に返信する検索部と、を含むサーバと、を備える。
【０００９】
また、本発明の他の側面による電子カード機能付携帯端末装置は、それぞれ分類と第１データ領域と第２データ領域とを含む複数の暗記カード情報を記憶するカード記憶部と、前記カード記憶部の記憶した情報を表示する表示部と、前記カード記憶部に情報を入力し前記表示部に表示する情報を選択する入力部と、前記入力部から入力したデータをネットワークへ送信し前記カード記憶部に記憶させる情報をネットワークから受信する送受信部と、を含み、前記カード記憶部に記憶すべきデータについて前記入力部から検索条件を入力して前記送受信部からネットワークへ前記検索条件を送信し、前記送信した検索条件に応答して検索結果がネットワークから返信された場合に、返信結果が所望のデータであった場合には、返信されたデータを前記カード記憶部に記憶させる。
【００１０】
本発明のさらに別な側面による暗記カードシステム用サーバは、それぞれ分類と、問題を格納した第１データ領域と、前記問題に対する答えを格納した第２データ領域と、を含んで構成される暗記カード情報を複数記憶するデータ部と、前記複数の暗記カード情報の中から与えられた検索条件に合致する暗記カード情報を検索する検索部と、前記検索条件をネットワークから受信し、前記検索部の検索結果に基づいて前記データ部の暗記カード情報を前記ネットワークに送信する送受信部と、を備えた。
【００１１】
本発明のさらに別な側面によるプログラムは、暗記カード情報を記憶するカード記憶部と、前記暗記カード情報を表示する表示部と、ネットワークに接続してデータの送受信を行う送受信部と、前記各部に対する操作を入力する入力部と、前記各部の動作を制御するコンピュータと、を含む暗記カード機能付携帯端末装置における暗記カードの新規登録を前記コンピュータに行わせるプログラムであって、ネットワーク通信を行うか否かを判断するステップと、ネットワーク通信を行わないと判断した場合に、前記入力部から入力したデータを前記カード記憶部に格納するステップと、ネットワーク通信を行うと判断した場合に、入力部から入力した検索条件をネットワークへ送信するステップと、前記ネットワークへ送信した検索条件に応答して検索結果が返信されてきた場合に、返信された内容を前記表示部に表示し、返信された内容を前記カード記憶部に追加する場合は、前記カード記憶部にデータの追加を行うステップと、を有する。
【００１２】
本発明のさらに別な側面による暗記カード機能付携帯端末装置における暗記カードデータの追加方法は、  それぞれ分類と第１データ領域と第２データ領域とを含む複数の暗記カード情報を記憶するカード記憶部と、前記カード記憶部の記憶した情報を表示する表示部と、前記カード記憶部に情報を入力し前記表示部に表示する情報を選択する入力部と、前記入力部から入力したデータをネットワークへ送信し前記カード記憶部に記憶させる情報をネットワークから受信する送受信部と、を含む暗記カード機能付携帯端末装置における暗記カードデータの追加方法であって、前記暗記カードに追加するデータをネットワークから入手するか、前記入力部から入力するか決定するステップと、前記決定するステップにおいてネットワークから入手すると決定された場合に、前記入力部から検索条件を入力し、前記入力部から入力した検索条件を前記ネットワークに送信するステップと、前記ネットワークに送信した検索条件に応答して返信された検索結果を前記カード記憶部に記憶するか否か判断するステップと、検索結果を前記カード記憶部に記憶する場合は、ネットワークから検索された暗記カード情報を前記カード記憶部に記憶するステップと、を有する。
【発明の効果】
【００１３】
本発明によれば、サーバにあるカード情報のうち、必要なカード情報のみを検索して選択し、携帯端末装置に登録する電子暗記カードシステムができる。
【図面の簡単な説明】
【００１４】
【図１】本発明の一実施例による電子暗記カードシステム全体のブロック図である。
【図２】本発明の一実施例におけるデータ部に格納するデータの間の一例である。
【図３】本発明の一実施例による処理の流れの全体を示す概略フロー図である。
【図４】本発明の一実施例におけるサーバからダウンロードする処理の詳細フロー図である。
【発明を実施するための形態】
【００１５】
本発明の概略について、必要に応じて図面を参照して説明する。なお、概略の説明において引用する図面及び図面の符号は実施形態の一例として示すものであり、それにより本発明による実施形態のバリエーションを制限するものではない。
【００１６】
本発明では、携帯端末装置３０とネットワーク１０を介して接続可能なサーバ２０を用いる。携帯端末装置３０は、複数のカード情報を記憶するカード記憶部３４を備えている。したがって、ネットワーク１０に接続しないときも携帯端末装置３０単独で電子暗記カードシステムとして機能する。
【００１７】
サーバ２０には、カード情報を記憶するデータ部２３が設けられており、データ部２３には、サーバ２０にアクセス可能な各ユーザからカード情報が登録可能である。従って、ユーザ間でカード情報が共有できる。また、検索部２２が備わっているので、各ユーザはデータ部に格納されているカード情報を検索することが可能であり、検索結果に応じて各ユーザの携帯端末装置３０にデータ部２３に格納されているカード情報のうち、必要なカードだけをダウンロードできる。また、各ユーザが各携帯端末装置３０から各ユーザが作成したカード情報をデータ部２３に登録することもできる。以下、実施例について、図面を参照して詳しく説明する。
【実施例１】
【００１８】
図１は、実施例１の電子暗記カードシステム１００全体のブロック図である。電子暗記カードシステム１００は、携帯端末装置３０とサーバ２０と携帯端末装置３０とサーバ２０とを接続するネットワーク１０により構成される。なお、ネットワーク１０には複数の携帯端末装置３０が接続されている。
【００１９】
携帯端末装置３０は、ネットワーク１０に接続する送受信部３１と、携帯端末装置３０を操作するためのキーやタッチパネルからの入力を受け付ける入力部３２と、暗記カードの内容やその他の情報を液晶等の表示画面に表示する表示部３３と、暗記カードの内容を格納するカード記憶部３４と、を備えている。さらに、携帯端末装置３０全体の動作を制御するＣＰＵ３６と、ＣＰＵ３６に携帯端末装置３０としての動作をさせるためのコンピュータプログラムであるプログラム３７と、ＣＰＵ３６がプログラムを実行するときに作業用領域として使用する作業用メモリ３５を備えている。なお、プログラム３７はＲＯＭ、フラッシュメモリやハードディクス等の不揮発性の記憶媒体に格納されて携帯端末装置３０に固定されている。
【００２０】
携帯端末装置３０には、カード記憶部３４が設けられているので、ネットワーク１０に接続しなくとも単独で電子暗記カードシステムとしての機能を実行できる。したがって、ネットワーク１０に接続できない環境であっても電子暗記カードシステムを使用することができる。また、携帯端末装置３０は、携帯電話機、ＰＨＳ、ＰＤＡの少なくとも１つの機能を電子暗記カードシステムの機能と兼用してもよい。その様にすると、送受信部３１、入力部３２、表示部３３、ＣＰＵ３６、作業用メモリ３５は携帯電話機、ＰＨＳ、ＰＤＡと共用にすることができる。
【００２１】
サーバ２０は、サーバ２０をネットワーク１０に接続し、携帯端末装置３０と通信を行うための送受信部２１、複数の携帯端末装置３０の間で共用できるカードデータベースを構築するためのデータ部２３とデータ部２３に格納したカード情報を検索するための検索部２２を備えている。
【００２２】
図２にデータ部２３に格納されているカード情報を示す。カード情報は、「英語」、「科学」、「動物・自然」などに分類されて記憶されている。なお、この分類は、サーバ２０を利用する各ユーザ間で統一しておくか、サーバ２０の管理者が分類を定めてサーバの利用者にその分類を守らせる必要がある。データ１は、暗記カードの表面に当たる内容が記載されている。データ１には暗記カードの利用者に対する質問に相当する。また、データ２は、暗記カードの裏面に相当する内容が記載されており、データ１（カード表面）の質問に対する答えに相当する。また、データ２には、テキスト以外に写真、図、グラフなどの画像が登録できる。図２の例では、データ１（カード表面）が「犬」に対してデータ２（カード裏面）には、「犬」をテキストで説明すると共に、犬の図が格納されている。
【００２３】
なお、データ部２３のデータ形式は、カード記憶部３４のデータ形式と互換性があるような形式で作成されている。
【００２４】
また、検索部２２は、データ部２３に格納されているカード情報を検索することができる。検索は最も単純には、データ１に記載されている単語の名称を直接指定することにより行う。しかし、それ以外にも、データ１の同義語や前方一致、後方一致や画像の登録させているデータだけサーチしたり、分類を限定してサーチしたりすることができるようにしてもよい。
【００２５】
次に、図３と図４を参照して実施例１の動作について説明する。図３は、携帯端末装置３０に新規なカードデータを登録するときの処理全体のフロー図である。新規にカードデータを登録する場合、ネットワーク１０につないで通信を行わない場合は、入力部３２からカード情報としてカード記憶部３４に登録する必要のある情報を入力する（ステップＳ３１「Ｎｏ」、ステップＳ３３）。たとえば、ネットワーク１０に接続できない場合の他、新たに登録しようとするカードの内容が個人的な内容であり、サーバ２０に期待するカード情報が登録されていることが考えられず、新たに登録するカード情報が複数のユーザ間で共有する必要もない情報である場合はステップＳ３３へ進む。
【００２６】
一方、新たにカード記憶部３４に登録しようとするカード情報がサーバ２０の中に格納されている可能性があり、かつ、ネットワーク１０に接続できる環境であれば、ステップＳ３１でＹｅｓへ進み、サーバ２０から暗記カードデータをダウンしようと試みる（ステップＳ３２）。
【００２７】
図４は、そのステップＳ３２の処理手順の詳細を示すフロー図である。図４のフロー図では、まず、最初にステップＳ４１で、携帯端末装置３０は、入力部３２から検索する単語を入力する。ついで、ステップＳ４２では、入力部３２から入力した単語を送受信部３１からネットワーク１０を介してサーバ２０へ送信する。サーバ２０では、携帯端末装置３０から送られてきた単語のテキストデータを送受信部２１で受信し、検索部２２に送る。検索部２２では、携帯端末装置３０から送られてきた検索条件に基づいて検索を行う。この実施例１では、検索条件は単語の名前そのものであるから、検索部２２での検索も比較的容易である。
【００２８】
次に検索部２２での検索の結果、１件もヒットしなかった場合（ステツプＳ４３のＮｏ）は、ステップＳ５１へ進む。なお、１件もヒットしなかった場合は、（単純に単語を入力するだけではなく、同義語を入力する等）検索条件を変えてステップＳ４１へ戻り再度検索を行っても良い。
【００２９】
一方、検索の結果、１件以上ヒットした場合（ステップＳ４３のＮｏ）は、検索によりヒットしたデータ部２３のカード情報を送受信部２１を介して携帯端末装置３０へ送信する。複数件ヒットした場合には、１件目のカード情報だけ送信してもよいし、複数件のカード情報をまとめて送信しても良い。携帯端末装置３０では、サーバ２０よりネットワーク１０を介して送信されてきたカード情報を送受信部３１で受信し、表示部３３に表示させる（ステップＳ４４）。サーバ２０から受信したカード情報が所望のカード情報であった場合には（ステップＳ４５Ｙｅｓ）、サーバ２０から受信したカード情報を新規カード情報としてカード記憶部３４に登録する（ステップＳ４６）。
【００３０】
一方、サーバ２０から受信したカード情報の１件目が所望のカード情報ではなく、複数件ヒットしていた場合（ステップＳ４８Ｙｅｓ）は、ヒットしたカード情報の中に所望のカード情報が含まれているか次のカード情報を表示させる（ステップＳ４９）。ヒットした中に所望のカード情報がなかった場合（ステップＳ４８Ｎｏ）には、サーバ２０には、所望のカード情報が登録されていないので、ステップＳ５１へ進む。ステップＳ５１では、サーバを検索してなかったカード情報を自分で入力部３２から情報を入力して新たなカード情報を登録するか、何も行わないか決定する。何も行わない場合は、そのカード情報の登録を断念する（ステップＳ５１Ｎｏ）。カード情報を入力部から入力する場合（ステップＳ５１Ｙｅｓ）は、入力部３２から登録すべきカードの表面と裏面のデータ及び分類を入力しカード記憶部３４に登録する（ステップＳ５２）。また、このカード情報は、サーバ２０には存在しない情報であるので、他のユーザのために登録したカード情報のデータについて送受信部３１を介してサーバ２０へ送信する。サーバ２０では、受信したカードデータをデータ部２３に新規カード情報として登録する。
【００３１】
上記の処理が終わった後、他に登録すべきカードの情報があれば、ステップＳ４１へ戻り他のカード情報の登録を継続する（ステップＳ４７）。上記の処理を繰り返した後、登録すべきすべてのカード情報について処理が終わると登録処理は完了する（ステップＳ４７Ｎｏ）。
【００３２】
なお、ここでは、ユーザが携帯端末装置３０からサーバ２０へ送信したカード情報は、サーバ２０側ではチェックなしにデータ部２３に登録することとしたが、サーバ２０に登録するデータは、サーバの管理者がチェックを行ってから登録するようにしてもよい。また、サーバへの登録は新規の登録だけでなく、既存のカード情報の誤りを訂正したり、画像等の新しいデータを付加したりして更新する登録を行っても良い。さらに、電子暗記カードシステム１００は暗記が目的である。従って、サーバ２０のデータ部２３と携帯端末装置３０のカード記憶部３４のカード情報は、明らかな誤りがなければ、必ずしも一致している必要はなく、サーバ２０から受信したカード情報を携帯端末装置３０側でユーザが覚えやすいように変更を加えてカード記憶部３４に記憶させても良い。
【００３３】
また、ネットワーク１０には、途中に携帯端末装置３０が送受信する無線信号を送受信する基地局が介在してもよい。ネットワーク１０の構成は任意である。サーバ２０とは常時接続する必要はなく、必要なときに接続できればよい。ネットワーク１０に接続しないときは、携帯端末装置３０単独で電子暗記カードシステムとして機能する。サーバ２０に接続する必要があるのは、サーバ２０に保存してあるカード情報を用いて携帯端末装置３０にカード登録されているカード情報に変更、追加を行おうとするときだけである。
【００３４】
以上、実施例について説明したが、本発明は上記実施例の構成にのみ制限されるものでなく、本発明の範囲内で当業者であればなし得るであろう各種変形、修正を含むことは勿論である。
【産業上の利用可能性】
【００３５】
本発明は、電子暗記カードシステムに用いることができる。また、サーバからカード情報について送信する際に、カード情報に関連する広告も同時に送信すれば、サーバへのアクセスに対して課金を行わずに、サーバを提供するだけでも、ビジネスとして成立し得る。
【符号の説明】
【００３６】
１０：ネットワーク
２０：サーバ
２１：送受信部
２２：検索部
２３：データ部
３０：携帯端末装置
３１：送受信部
３２：入力部
３３：表示部
３４：カード記憶部
３５：作業用メモリ
３６：ＣＰＵ
３７：プログラム
１００：電子暗記カードシステム
【図１】
2010217308.tif 000003
【図２】
2010217308.tif 000004
【図３】
2010217308.tif 000005
【図４】
2010217308.tif 000006